(57)【要約】  特にボールグリッドアレー（ＢＧＡ）型のような集積回路のような電気部品のための積重ねトレー。このトレーは、積重ねることができ、かつ、上面と下面とを含んでいる。より詳細には、トレーの上面および下面の双方は、集積回路素子を支持し該集積回路素子をＸ−Ｙ方向に安定させるための同一の一様な高さの棚部と畝部とを形成した支持要素を含んでいる。積重ねていない形態では、トレーは表を上にした形態でもその反対の形態でも、集積回路素子は、対角線上両側の２つの隅部で、従ってチップの４つの全ての辺縁部でＸ−Ｙ方向に安定する。これは、「ピックアンドプレース」のような自動配置にとって重要である。更に、出荷や輸送に用いられるような積重ねた形態では、集積回路から直ぐ下に隣接するトレーの側方内側にオフセットした畝部が、集積回路の第１の対角線上両隅部に係合することによって、集積回路をＸ−Ｙ方向に保持、安定させる。同様に、集積回路から直ぐ上に隣接するトレーの側方内側にオフセットした畝部が、集積回路の第２の対角線上両隅部に係合することによって、集積回路をＸ−Ｙ方向に保持、安定させる。この積重ねた形態では、直ぐ上に隣接するトレーの支持要素の棚部と、直ぐ下に隣接するトレーの支持要素の棚部との間に保持され安定させられることによって、集積回路はＺ方向に保持される。
2008502132.tif 000002
【特許請求の範囲】
【請求項１】
集積回路チップ用のトレーにおいて、
隅部に支持要素を設けた複数の格納ポケットを具備し、
前記支持要素は、トレーに垂直な方向に集積回路チップを安定させる棚部を含み、
前記棚部は、トレーと平行な方向に集積回路チップを安定させるために、各格納ポケットの第１の対角線上両隅部に設けられた内側にオフセットした畝部を含み、
前記棚部は、各格納ポケットの第２の対角線上両隅部に設けられた外側にオフセットした畝部を含み、これによって、隣接の格納ポケットに配置された集積回路チップをトレーと平行な方向に安定させるために、内側にオフセットした畝部が隣接の格納ポケットに形成されるようにしたトレー。
【請求項２】
前記トレーは、順次同様のトレーに積重ねることが可能となっている請求項１に記載の集積回路チップ用トレー。
【請求項３】
上面と下面とを含み、前記トレーの上面が順次上側のトレーの下面に接合され、これによって、両者間に集積回路チップを格納するための整列した個々の格納ポケットが形成されるようにした請求項２に記載の集積回路チップ用トレー。
【請求項４】
下側のトレーに上側のトレーが積重ねられ、かつ、該下側のトレーは上側のトレーに対して整列するように配置され、これによって、両者間に集積回路チップが格納され、下側のトレーの上面の格納ポケットは、トレーの間に格納されるチップの第１の対角線上両隅部に係合する内側にオフセットした畝部を含み、上側のトレーの下面は、トレーの間に格納されるチップの第２の対角線上両隅部に係合する内側にオフセットした畝部を含み、これによって、チップがトレーに平行な方向に安定するようにした請求項３に記載の集積回路チップ用トレー。
【請求項５】
前記チップの第１の対角線上両隅部が下側のトレーの内側にオフセットした畝部に係合し、前記チップの第２の対角線上両隅部が上側のトレーの内側にオフセットした畝部に係合し、これによって、トレーを裏返しても使用可能とした請求項４に記載の集積回路チップ用トレー。
【請求項６】
前記上側と下側のトレーの間に格納されるチップは、前記上側と下側のトレーの前記支持要素の棚部の間に係合し、これによって、前記チップがトレーに垂直な方向に安定するようにした請求項５に記載の集積回路チップ用トレー。
【請求項７】
前記上面の支持要素が、前記下面の支持要素の直ぐ上方に配置されている請求項６に記載の集積回路チップ用トレー。
【請求項８】
内側にオフセットした畝部を備えた前記上面の支持要素が、前記下面の外側にオフセットした畝部を備えた支持要素の直ぐ上方に配置されている請求項７に記載の集積回路チップ用トレー。
【請求項９】
４つの格納ポケットの交点にＸ形支持要素が形成されており、前記トレーの側縁部に沿って配設された２つの格納ポケットの交点にＴ形支持要素が形成され、隅部の格納ポケットの外側にＬ形の支持要素が形成されている請求項８に記載の集積回路チップ用トレー。
【請求項１０】
前記トレーは、前記格納ポケットが行列状に配列された矩形である請求項９に記載の集積回路チップ用トレー。
【請求項１１】
前記支持要素を支持するための平床部を含む請求項１０に記載の集積回路チップ用トレー。
【請求項１２】
前記平床部が、少なくとも前記格納ポケットの部分で中実であり、これによって、真空作動式の装置を前記トレーに結合可能とする真空格納ポケットが形成される請求項１１に記載の集積回路チップ用トレー。
【請求項１３】
集積回路チップ用のトレーにおいて、
隅部に支持要素を設けた複数の格納ポケットを具備し、
前記支持要素は、トレーに垂直な方向に集積回路チップを安定させる棚部を含み、
前記支持要素の少なくとも一部の支持要素の棚部は、集積回路チップをトレーと平行な方向に安定させるために、各格納ポケットの対角線上両隅部に設けられた畝部を含んで成る集積回路チップ用トレー。
【請求項１４】
前記畝部を含んだ支持要素と、畝部を含まない支持要素とが交互に配置されている請求項１３に記載の集積回路チップ用トレー。
【請求項１５】
前記トレーは、順次同様のトレーに積重ねることが可能となっている請求項１４に記載の集積回路チップ用トレー。
【請求項１６】
上面と下面とを含み、前記トレーの上面が順次上側のトレーの下面に接合され、これによって、両者間に集積回路チップを格納するための整列した個々の格納ポケットが形成されるようにした請求項１４に記載の集積回路チップ用トレー。
【請求項１７】
下側のトレーに上側のトレーが積重ねられ、かつ、該下側のトレーは上側のトレーに対して整列するように配置され、これによって、両者間に集積回路チップが格納され、下側のトレーの上面の格納ポケットは、トレーの間に格納されるチップの第１の対角線上両隅部に係合する畝部を含み、上側のトレーの下面は、トレーの間に格納されるチップの第２の対角線上両隅部に係合する畝部を含み、これによって、チップがトレーに平行な方向に安定するようにした請求項１５に記載の集積回路チップ用トレー。
【請求項１８】
前記チップの第１の対角線上両隅部が下側のトレーの畝部に係合し、前記チップの第２の対角線上両隅部が上側のトレーの畝部に係合し、これによって、トレーを裏返しても使用可能とした請求項１６に記載の集積回路チップ用トレー。
【請求項１９】
前記上側と下側のトレーの間に格納されるチップは、前記上側と下側のトレーの前記支持要素の棚部の間に係合し、これによって、前記チップがトレーに垂直な方向に安定するようにした請求項１７に記載の集積回路チップ用トレー。
【請求項２０】
前記上面の支持要素は、前記下面の支持要素の直ぐ上方に配置され、前記畝部を備えない前記下面の支持要素が、前記上面の畝部を備えた支持要素の直ぐ下方に配置され、前記畝部を備えた支持要素が、前記下面において、前記上面の畝部を備えない支持要素の直ぐ下方に配置されている請求項１８に記載の集積回路チップ用トレー。
【請求項２１】
４つの格納ポケットの交点にＸ形支持要素が形成されており、前記トレーの側縁部に沿って配設された２つの格納ポケットの交点にＴ形支持要素が形成され、隅部の格納ポケットの外側にＬ形の支持要素が形成されている請求項１９に記載の集積回路チップ用トレー。
【請求項２２】
前記畝部は、前記Ｘ形支持要素上ではＸ形に形成され、前記Ｔ形支持要素上ではＴ形に形成され、前記Ｌ形支持要素上ではＬ形に形成されている請求項２１に記載の集積回路チップ用トレー。
【請求項２３】
前記トレーは、前記格納ポケットが行列状に配列された矩形である請求項２１に記載の集積回路チップ用トレー。
【請求項２４】
前記支持要素を支持するための平床部を含む請求項２２に記載の集積回路チップ用トレー。
【請求項２５】
前記平床部が、少なくとも前記格納ポケットの部分で中実であり、これによって、真空作動式の装置を前記トレーに結合可能とした請求項２３に記載の集積回路チップ用トレー。
【発明の詳細な説明】
【技術分野】
【０００１】
本発明は、集積回路、特にボールグリッドアレー（ＢＧＡ）型の集積回路用のトレーに関する。トレーは積重ねることが可能で、上面と下面とを有している。各トレーの上面と下面は複数の格納ポケット領域を有しており、この上面と下面の格納ポケット領域は、トレーを積重ねたときに互いに整列するようになっている。より詳細には、トレーの上面と下面の双方は支持要素を有しており、該支持要素には、集積回路チップをＺ方向（床に垂直な方向）に保持し、安定させる同じ均一な高さの棚部と、集積回路チップをＸ−Ｙ方向（床に平行な方向）に保持し、安定させる畝部とが形成されている。トレーの一方の面の畝部は、集積回路チップの第１の対角線上両隅部を安定させ、隣接するトレーの他方の面の畝部は、集積回路チップの第２の対角線上両隅部を安定させる。
【背景技術】
【０００２】
従来技術では、集積回路、特にボールグリッドアレー（ＢＧＡ）集積回路の貯蔵および輸送用に積重ね可能なトレーを使用することが知られている。こうした積重ね可能なトレーは、典型的に個々のチップと係合する離散的に配置された格納ポケットが形成されている。更に、こうしたトレーは、検査用および自動組立装置用のチップ位置決め台としても使われることがある。検査では、通常、ボールを上方に向けることが必要であるが、組立では、ボールは一般的に下向きにすることが必要である。従って、表を上にしたトレーに集積回路チップが装着されていても、或いは、反対にしたトレーに集積回路チップが装着されていても、チップをＸ−Ｙ方向に安定させることが重要である。すなわち、トレーは「裏返しても使用可能」、つまり何れの向きでもチップを支持可能でなければならない。
【０００３】
更に、こうしたトレーは、機械的、静電気的または電磁気的にチップを保護することが不可欠である。
【０００４】
積重ね可能なトレーの従来技術の例としては、１９９５年３月２８日にマストン等（Ｍａｓｔｏｎ  ｅｔ  ａｌ．）に発行された米国特許第５，４００，９０４号「ボール端子型集積回路用トレー」、１９９２年４月１４日にマーフィー（Ｍｕｒｐｈｙ）に発行された米国特許第５，１０３，９７６号「集積回路用の支持リブを備えたトレー」、１９９２年１月１４日にマストン等（Ｍａｓｔｏｎ  ｅｔ  ａｌ．）に発行された米国特許第５，０８０，２２８号「電気部品用統合型キャリアおよびシステム」、  １９９１年３月１９日にマーフィー（Ｍｕｒｐｈｙ）に発行された米国特許第５，０００，６９７号「ＰＧＡ電気部品用キャリアシステム」、１９８８年８月２３日にマーフィー（Ｍｕｒｐｈｙ）に発行された米国特許第４，７６５，４７１号「電気部品キャリア」がある。
【０００５】
更なる例としては、２００３年４月１６日に出願された米国特許出願第１０／４１４，６１７号「コーナ支持要素と側部支持要素とを備え、マトリックストレーキャプチャーシステムを形成する集積回路チップ用の積重ね可能なトレー」がある。
【０００６】
【特許文献１】米国特許第５，４００，９０４号明細書
【特許文献２】米国特許第５，１０３，９７６号明細書
【特許文献３】米国特許第５，０８０，２２８号明細書
【特許文献４】米国特許第５，０００，６９７号明細書
【特許文献５】米国特許第４，７６５，４７１号明細書
【特許文献６】米国特許出願第１０／４１４，６１７号明細書
【発明の開示】
【発明が解決しようとする課題】
【０００７】
従って、本発明の目的は、これに限定されないが、ボールグリッドアレー（ＢＧＡ）チップのような電子チップ用の格納ポケットを提供するように積重ね可能な用トレーを提供することである。
【０００８】
本発明の更なる目的は、トレーが表を上にしていても或いはその反対でも、（ピックアンドプレースのような）自動製造用に、Ｘ−Ｙ方向に安定させて電子チップを提供可能なトレーを提供することである。すなわち、本発明の目的は、「裏返しても使用可能（ｆｌｉｐｐａｂｌｅ）」なトレーを提供することである。
【０００９】
本発明の更なる目的は、トレーの間に配置されたチップの機械的な保護、静電気および電磁気に対する保護を改良した電子チップの貯蔵、輸送、および、自動配置用のトレーを提供することである。
【００１０】
本発明の更なる目的は、簡単な成形方法および少ない材料で達成できる単純な形状によって、上記目的を達成する電子チップ用のトレーを提供することである。
【課題を解決するための手段】
【００１１】
これらの目的および他の目的は、トレーの上下面の格納ポケットの各々に複数の支持要素が設けられており、該支持要素は、集積回路チップの隅部をＺ方向に安定させる同一の一様な高さの棚部と、集積回路チップの隅部をＸ−Ｙ方向に安定させる畝部とを含んで成るトレーを提供することによって達成される。１つの格納ポケットに関して、隣接する格納ポケットの各対について、前記畝部は、チップのための格納ポケットを画成し、集積回路を保持しＸ−Ｙ方向（トレーの床に平行）に安定させるために、対角線上両側の２つの隅部で側方内側にオフセットされ、かつ、隣接する格納ポケットでＸ−Ｙ方向に安定させるために、格納ポケットの残りの対角線上の２つの隅部で側方外側にオフセットされている。トレーの上面の棚部は、該トレーの下面の棚部に対して整列されており、これによって、隣接するトレーの支持要素の棚部間にチップを保持させることによって、Ｚ方向に安定する。然しながら、トレーの上面の棚部に設けられている畝部は、トレーの下面の棚部に設けられている畝部から反対の側方へオフセットされている。
【００１２】
積重ねられていない形態では、トレーが表を上にした形態でも或いはその反対の形態でも、集積回路チップは、対角線上両側の２つの隅部においてＸ−Ｙ方向に安定させられ、従って、４つの全ての辺縁部でＸ−Ｙ方向に安定する。これは、特に、「ピックアンドプレース」のような、自動配置への応用で重要である。
【００１３】
積重ねた形態では、集積回路から直ぐ下に隣接するトレーの側方内側にオフセットした畝部は、集積回路の第１の対角線上両側の隅部に係合することによって、該集積回路を保持しＸ−Ｙ方向に安定させる。集積回路から直ぐ上に隣接するトレーの側方内側にオフセットした畝部は、集積回路の他の第２の対角線上両側の隅部に係合することによって、該集積回路を保持しＸ−Ｙ方向に安定させる。こうして、積重ねた形態では、積重ねられた一連のトレーの間に係合するとき、集積回路チップの４つの全ての隅部が保持され安定する。
【００１４】
第２の実施形態では、全ての隣接する格納ポケットの１つの隅部をＺ方向に安定させる棚部を備えた支持要素と、Ｚ方向に安定させる棚部および隣接する全ての格納ポケットの１つの隅部でＸ−Ｙ方向に安定させる畝部とを備えた支持要素とを交互配置することによって、同様の結果が達成される。
【００１５】
本発明のトレーは、トレーの概要、格納ポケットの配置、外側レールの高さ、および、積重ねた形態を規定するジェディック（合同電子デバイス委員会）（ＪＥＤＥＣ）の標準に準拠しており、下側のトレーの格納ポケットと、上側のトレーの格納ポケットとにより画成される完全な格納ポケットに着座した集積回路チップが、直ぐ上に隣接するトレーの支持要素の棚部と、直ぐ下に隣接するトレーの支持要素の棚部との間に配置されることによって、Ｚ方向に保持され安定する。
【発明を実施するための最良の形態】
【００１６】
本発明の更なる目的および利点は、以下の説明、特許請求の範囲および添付図面から明らかとなろう。
【００１７】
添付図面を参照すると、同様の構成要素には同じ参照番号が付されており、図１は、本発明のトレー１０の頂面斜視図である。トレー１０は、ジェディック  （ＪＥＤＥＣ）の標準に準拠しており、従って、長辺縁部１２、１６と短辺縁部１４、１８と、平床部２０によって形成される内側構造とを有している。辺縁部１２、１４、１６、１８には、下方に突出した周縁スカート部２２（図９参照）が形成されている。該辺縁部には、更に、上凹部２４が形成されており、該上凹部は、上側に隣接するトレーの周縁スカート部２２を受承してトレー１０の積重ねを可能とする。短辺縁部１４、１８には、トレーの前後を示すために、ＪＥＤＥＣに従い互いに離間配置されたフランジ部２６、２８が設けられている。既述したように、周縁スカート部２２、上凹部２４およびフランジ部２６、２８を含めた全周縁構造は、トレー１０の標準的な自動操作のためＪＥＤＥＣ標準に従い形成されている。
【００１８】
辺縁部１２、１４の交点に隅部３０が形成される。辺縁部１４、１６の交点に隅部３２が形成される。辺縁部１６、１８の交点に隅部３４が形成される。辺縁部１２、１８の交点に隅部３６が形成される。平坦な（つまり、畝部のない）Ｌ形の支持要素４０が、上面（図１、５、１０）において隅部３２、３６から内側に隣接させて形成され、かつ、下面（図３、８）において隅部３０、３４から内側に隣接させて形成される。畝部を設けたＬ形の支持要素４２が、上面（図１、２、５）において隅部３０、３４から内側に隣接させて形成され、かつ、下面（図３、４、８、１３）において隅部３２、３６から内側に隣接させて形成される。Ｔ形の支持要素４４が辺縁部１２、１４、１６、１８から内側に隣接させて形成され、Ｘ形の支持要素４６がトレー１０内に形成され、これによって、トレー１０の矩形形状内で行列状に配列された格納ポケット１０１〜１２４が画成される。格納ポケットは、同一の正方形その他の形状とすることができる。
【００１９】
図５、８、１０、１３に示すように、Ｘ形支持要素４６は、側方へオフセットされた２つのＬ形の畝部５０、５２を含んでいる。側方へオフセットされたＬ形の畝部５０、５２は、特定の格納ポケットについて側方内側にオフセットされるように配置されており、従って、該ポケット内のチップを安定させるが、隣接の格納ポケットに対しては側方外側にオフセットされており、従って、該隣接したポケットについては安定化機能は奏さない。例えば、図１０において、側方へオフセットされたＬ形の畝部５０は、格納ポケット１１９について側方内側にオフセットされており、該ポケット１１９内のチップの隅部を捕らえるようになっているが、格納ポケット１２０、１２２に関しては側方外側にオフセットされており、これらのポケット内のチップに対しては安定化機能を殆ど或いは全く果たさない。同様に、図１０の側方へオフセットされたＬ形の畝部５２は、格納ポケット１２３については側方内側にオフセットされているが、格納ポケット１２０、１２２については側方外側にオフセットされている。この側方内側と外側に交互にオフセットされた配置の繰り返しが同様に図１４に明確に図示されている。同様に、畝部を設けたＬ形の支持要素４２も、側方へオフセットされたＬ形の畝部５４を有しており、該Ｌ形の畝部は、図１、２に示すように、上面の格納ポケット１０１、１２４において側方内側にオフセットされたＬ形の畝部５２に対して対角線上反対になるように形成され、かつ、下面の格納ポケット１０３、１２２において側方内側にオフセットされたＬ形の畝部５２に対して対角線上反対になるように形成されている。同様に、Ｔ形の支持要素４４は、図１０、１３に示すように、側方へオフセットされたＬ形の畝部５０または５２を有しており、該Ｌ形の畝部は、特定の格納ポケットに対して、側方内側にオフセットされたＬ形の畝部５０または５２の対角線上の両隅部において、同様に側方内側にオフセットされている。
【００２０】
図１１、１２、１５、１６の断面図および図１７、１８の斜視図から理解されるように、側方内側へオフセットされたＬ形の畝部５０、５２の向きは、隣接する格納ポケット間で互い違いとなっているのと同様に、トレー１０の上面とトレー１０の下面とで互い違いとなっている。特に、Ｘ形支持要素４４について示した図１１から理解されるように、上面では、Ｌ形の畝部５２は、格納ポケット１２２については内側にオフセットされ、かつ、格納ポケット１１９については外側にオフセットされているが、下面では、Ｌ形の畝部５０は、格納ポケット１２２については外側にオフセットされ、かつ、格納ポケット１１９については内側にオフセットされている。その結果、出荷や輸送に利用可能な積重ねた構造は、集積回路チップ１０００（図１６〜図１８参照）を、第１の対角線上両隅部で直ぐ上に隣接するトレー１０の側方内側にオフセットした畝部５０、５２と係合させ、かつ、第２の対角線上両隅部で直ぐ下に隣接するトレー１０の側方内側にオフセットした畝部５０、５２と係合させることによって、格納ポケット内で側方に支持しかつＸ−Ｙ方向に安定させる。
【００２１】
従って、この積重ね形態では、集積回路チップ１０００の４つの全ての隅部は、積重ねた一連のトレー１０によってＸ−Ｙ方向に支持され安定する。同様に、集積回路チップ１０００は、積重ねたトレーの隣接するトレーの支持要素４０、４２、４４、４６によって形成される棚部によってＺ方向（積重ねたトレー１０に垂直な方向）に安定する。
【００２２】
更に、トレー１０が積重ねられていないとき、表を上にした形態であっても、或いは、反対の形態であっても、集積回路チップ１０００は、対角線上の両側の２つの隅部においてＸ−Ｙ方向に安定し、それによって、該チップの全ての辺縁部が安定する。つまり、該トレーは「裏返しても使用可能」である。これは、特に、集積回路チップ１０００の「ピックアンドプレース」操作のような自動配置に有効である。
【００２３】
トレー１０の第２の実施形態が図１９〜図２４に開示されている。この実施形態では、上記Ｘ形支持要素は、支持畝部を備えないＸ形支持要素４７（図２１参照）、および、Ｘ形支持畝部５１を備えたＸ形支持要素４９（図２４参照）により置換されている。この実施形態では、（支持畝部を備えない）Ｘ形支持要素４７は、隣接する４つの格納ポケットの各々について１つの隅部で集積回路チップをＺ方向にのみ安定させる棚部を提供する。然しながら、Ｘ形支持要素４９は、隣接する４つの格納ポケットの各々について１つの隅部で、集積回路チップをＺ方向に安定させる棚部を提供し、Ｘ形畝部５１が集積回路チップをＸ−Ｙ方向に安定させる。同様に、Ｔ形の支持要素は、支持畝部を備えないＴ形支持要素４１（図２４参照）と、Ｔ形支持畝部４５を備えたＴ形支持要素４３（図２１参照）との間で交互に配置されている。（畝部を備えない）Ｔ形支持要素４１は、隣接する２つの格納ポケットの各々について１つの隅部で、集積回路チップをＺ方向にのみ安定させる棚部を提供する。同様に、Ｔ形支持要素４３は、隣接する４つの格納ポケットの各々について１つの隅部で、集積回路チップをＺ方向に安定させる棚部を提供し、Ｔ形畝部４５が集積回路チップをＸ−Ｙ方向に安定させる。
【００２４】
図１９〜図２４に示すように、支持畝部を備えないＬ形支持要素３５が、（支持畝部を備えない）Ｘ形支持要素４７から対角線上反対の隅部の格納ポケットに設けられている。トレーの頂面図である図１９の格納ポケット１０１、１２２、トレーの底面図である図２０の格納ポケット１０３、１２４、および、トレーの詳細頂面図である図２１の格納ポケット１２２を参照のこと。同様に、Ｌ形支持畝部３９を備えたＬ形支持要素３７が、（支持畝部５１を備えた）Ｘ形支持要素４９から対角線上反対の隅部の格納ポケットに設けられている。トレーの頂面図である図１９の格納ポケット１０３、１２４、トレーの底面図である図２０の格納ポケット１０１、１２２、および、トレーの詳細底面図である図２４の格納ポケット１２２を参照のこと。（支持畝部を備えない）Ｌ形支持要素３５は、隣接する隅部の格納ポケット内の集積回路チップの外側の隅部をＺ方向にのみ安定させる棚部を提供する。Ｌ形支持３７がＺ方向に安定させる棚部を提供し、Ｌ形支持畝部３９が、隣接する隅部の格納ポケット内の集積回路チップの外側の隅部をＸ−Ｙ方向に安定させる。
【００２５】
上記構成によれば、第２の実施形態のトレーを積重ねたときに、その中に格納されている集積回路チップの４つの全ての隅部は、上側のトレーの支持要素によって、第１の対角線上両隅部でＸ−Ｙ方向に安定し、かつ、下側のトレーの支持要素によって第２の対角線上両隅部でＸ−Ｙ方向に安定する。同様に、４つの全ての隅部は、上側のトレーおよび下側のトレーの双方の支持要素の棚部によってＺ方向に安定する。更に、第１の実施形態と同様に、第２の実施形態は、「裏返しても使用可能」な形態を提供すると共に、ピックアンドプレース操作のような自動操作で用いることができる。
【００２６】
種々の支持要素の厚さは、２つの隣接するトレー１０の支持要素の間に集積回路チップを格納、安定させるように、安定させるべき集積回路チップの厚さによって変えることができよう。好ましい実施形態では、集積回路チップは、各隅部において、支持畝部を備えた１つの支持要素と、支持畝部を備えない類似の支持要素によって格納され或いは安定させられる。つまり、支持畝部を備えた支持要素が、支持畝部を備えない類似の支持要素の直ぐ上に形成され、また、その逆の構成もある。
【００２７】
こうして、既述した目的および利点が最も効果的に到達される。本発明の好ましい実施形態を詳細に開示し説明したが、これは本発明を限定する意図はなく、その範囲は、特許請求の範囲によって決定される。
【図面の簡単な説明】
【００２８】
【図１】本発明の積重ね可能なトレーの上方から見た斜視図である。
【図２】図１の斜視図の一部を示す詳細図である。
【図３】本発明の積重ね可能なトレーの下方から見た斜視図である。
【図４】図４の斜視図の一部を示す詳細図である。
【図５】本発明の積重ね可能なトレーの頂面図である。
【図６】本発明の積重ね可能なトレーの側面図である。
【図７】図５の矢視線７−７に沿う断面図である。
【図８】本発明の積重ね可能なトレーの底面図である。
【図９】図７の断面図の一部を示す詳細図である。
【図１０】本発明の積重ね可能なトレーの上面に形成された隅部にある格納ポケットの一部を示す平面図である。
【図１１】図１０の矢視線１１−１１に沿う断面図である。
【図１２】図１０の矢視線１２−１２に沿う断面図である。
【図１３】本発明の積重ね可能なトレーの下面に形成された隅部の格納ポケットの一部を示す平面図である。
【図１４】本発明の積重ね可能なトレーの上面の内部真空室を含んだ内側部分の平面図である。
【図１５】図１４の矢視線１５−１５に沿う断面図である。
【図１６】間に集積回路を係合させた状態で示す本発明の２つの積重ねたトレーの断面図である。
【図１７】間に集積回路を係合させた状態で示す本発明の２つの積重ねたトレーの斜視図である。
【図１８】間に集積回路を係合させた状態で示す本発明の２つの積重ねたトレーの反転させた斜視図である。
【図１９】本発明の積重ね可能なトレーの第２の実施形態の頂面図である。
【図２０】本発明の積重ね可能なトレーの第２の実施形態の底面図である。
【図２１】本発明の積重ね可能なトレーの第２の実施形態の上面に形成された隅部の格納ポケットの一部を示す平面図である。
【図２２】図２１の矢視線２２−２２に沿う断面図である。
【図２３】図２１の矢視線２３−２３に沿う断面図である。
【図２４】本発明の積重ね可能なトレーの第２の実施形態の下面に形成された隅部の格納ポケットの一部を示す平面図である。
【符号の説明】
【００２９】
１０    トレー
１２    長辺縁部
１４    短辺縁部
１６    長辺縁部
１８    短辺縁部
２０    平床部
２２    周縁スカート部
２４    上凹部
２６    フランジ部
２８    フランジ部
３０    隅部
３２    隅部
３４    隅部
３６    隅部
４０    Ｌ形支持要素（畝部を備えない）
４２    Ｌ形支持要素（畝部を有した）
４４    Ｔ形支持要素
４６    Ｘ形支持要素
５０    Ｌ形畝部
５２    Ｌ形畝部
１０１〜１２４    格納ポケット
１０００    集積回路チップ
【図１】
2008502132.tif 000003
【図２】
2008502132.tif 000004
【図３】
2008502132.tif 000005
【図４】
2008502132.tif 000006
【図５】
2008502132.tif 000007
【図６】
2008502132.tif 000008
【図７】
2008502132.tif 000009
【図８】
2008502132.tif 000010
【図９】
2008502132.tif 000011
【図１０】
2008502132.tif 000012
【図１１】
2008502132.tif 000013
【図１２】
2008502132.tif 000014
【図１３】
2008502132.tif 000015
【図１４】
2008502132.tif 000016
【図１５】
2008502132.tif 000017
【図１６】
2008502132.tif 000018
【図１７】
2008502132.tif 000019
【図１８】
2008502132.tif 000020
【図１９】
2008502132.tif 000021
【図２０】
2008502132.tif 000022
【図２１】
2008502132.tif 000023
【図２２】
2008502132.tif 000024
【図２３】
2008502132.tif 000025
【図２４】
2008502132.tif 000026
【国際調査報告】
2008502132.tif 000027
2008502132.tif 000028